(57)【要約】【課題】表示部を備える電気機器に対する電源の入切テストを確実に行うことができるテスト装置を提供する。【解決手段】被テスト装置の電源を投入した後に、表示部に所定の判定色を表示させる動作制御手段と、表示部の画像を含む撮像画像を得る撮像手段と、撮像画像において予め決められた画像判定領域内の各画素の色成分を取得する色成分取得手段と、画像判定領域内において、外光の映り込みと見なされる色成分を有する画素を除いた画素数Ａを計数する第１の計数手段と、画像判定領域内において、判定色と見なされる色成分を有する画素数Ｂを計数する第２の計数手段と、画素数Ｂの画素数Ａに占める割合が所定の閾値以上である場合に電源入状態と判定し、閾値未満であった場合には不具合発生状態であると判定する判定手段とを備える。【選択図】図２
2010193273.tif 000002
【特許請求の範囲】
【請求項１】
被テスト装置の電源を投入した後に、表示部に所定の判定色を表示させる動作制御手段と、
前記表示部の画像を含む撮像画像を得る撮像手段と、
前記撮像画像において予め決められた画像判定領域内の各画素の色成分を取得する色成分取得手段と、
前記画像判定領域内において、外光の映り込みと見なされる色成分を有する画素を除いた画素数Ａを計数する第１の計数手段と、
前記画像判定領域内において、前記判定色と見なされる色成分を有する画素数Ｂを計数する第２の計数手段と、
前記画素数Ｂの前記画素数Ａに占める割合が所定の閾値以上である場合に電源入状態と判定し、前記閾値未満であった場合には不具合発生状態であると判定する判定手段と
を備えることを特徴とするテスト装置。
【請求項２】
前記判定色は、想定される外光の映り込みの色に基づいて、予め決められる色であることを特徴とする請求項１に記載のテスト装置。
【請求項３】
前記判定色は、赤、緑、青の何れかであることを特徴とする請求項２に記載のテスト装置。
【請求項４】
前記所定の閾値が５０％であることを特徴とする請求項１から３のいずれかに記載のテスト装置。
【請求項５】
被テスト装置の電源の入切を判定するために、動作制御手段と、撮像手段と、色成分取得手段と、第１の計数手段と、第２の計数手段と、判定手段とを備えるテスト装置におけるテスト方法であって、
前記動作制御手段が、前記被テスト装置の電源を投入した後に、表示部に所定の判定色を表示させる動作制御ステップと、
前記撮像手段が、前記表示部の画像を含む撮像画像を得る撮像ステップと、
前記色成分取得手段が、前記撮像画像において予め決められた画像判定領域内の各画素の色成分を取得する色成分取得ステップと、
前記第１の計数手段が、前記画像判定領域内において、外光の映り込みと見なされる色成分を有する画素を除いた画素数Ａを計数する第１の計数ステップと、
前記第２の計数手段が、前記画像判定領域内において、前記判定色と見なされる色成分を有する画素数Ｂを計数する第２の計数ステップと、
前記判定手段が、前記画素数Ｂの前記画素数Ａに占める割合が所定の閾値以上である場合に電源入状態と判定し、前記閾値未満であった場合には不具合発生状態であると判定する判定ステップと
を有することを特徴とするテスト方法。
【請求項６】
被テスト装置の電源の入切を判定するために、前記被テスト装置の電源を投入した後に、表示部に所定の判定色を表示させる動作制御手段と、前記表示部の画像を含む撮像画像を得る撮像手段とを備えるテスト装置上において動作するテストプログラムであって、
前記撮像画像において予め決められた画像判定領域内の各画素の色成分を取得する色成分取得ステップと、
前記画像判定領域内において、外光の映り込みと見なされる色成分を有する画素を除いた画素数Ａを計数する第１の計数ステップと、
前記画像判定領域内において、前記判定色と見なされる色成分を有する画素数Ｂを計数する第２の計数ステップと、
前記画素数Ｂの前記画素数Ａに占める割合が所定の閾値以上である場合に電源入状態と判定し、前記閾値未満であった場合には不具合発生状態であると判定する判定ステップと
をコンピュータに行わせることを特徴とするテストプログラム。
【発明の詳細な説明】
【技術分野】
【０００１】
本発明は、表示部を備える装置の動作テストを行うテスト装置、テスト方法及びテストプログラムに関する。
【背景技術】
【０００２】
近年、液晶テレビや携帯電話機等の開発工程、生産工程において、動作確認テストの効率を高めるために、画像処理を用いた自動テスト装置が導入されている。既存の自動テスト装置には、電源の入切、メニュー表示、チャンネル変更等のテストを行うものがある。従来技術による自動テスト装置の基本構成を図７に示す。図７において、符号１０００はテスト対象の表示装置（以下、被テスト装置という）、符号１０１０はテストを実行するためのパーソナルコンピュータ（以下、パソコンという）、１０２０は被テスト装置１０００の画像表示部を撮像する撮像装置（以下、カメラという）、１０３０は被テスト装置１０００の動作をコントロールする赤外線リモコン信号発光器である。
【０００３】
図７に示す自動テスト装置によるテストは、以下のように行われる。まず、パソコン１０１０でテストプログラムが実行され、その後テストは、このテストプログラムに記述された手順に従って実行されていく。テストプログラムには、（１）リモコン信号発光器１０３０から被テスト装置１０００を操作する信号を出力させ、（２）これに対する被テスト装置１０００の反応をカメラ１０２０で撮像し、（３）得られた撮像画像を予め用意しておいた期待値画像と比較することによって、所望の動作が行われたかどうかを判定する、という処理の手順が記述されている。撮像画像と期待値画像の比較には、リモコン信号発光器１０３０による操作に対する反応が顕著に出現する部分を画像の比較範囲として予め指定しておき、この比較範囲内の画素の比較を行うという手法がしばしば用いられる。
【０００４】
ところで、自動テスト装置によって行なわれているテストの中でも、電源の入切のテストはその重要性が特に高い。その理由としては、以下が挙げられる。最近の液晶テレビや携帯電話機等の機器は機能が増加の一途を辿っており、それに伴い、高度なＯＳ（Operating System）が搭載されるようになっている。そのため、電源の入切の間に機器の内部では多くの状態の遷移が伴うようになっており、電源入切のタイミングで発生する不具合が非常に多くなっている。
【０００５】
表示部を備える被テスト装置において、画像処理を用いた電源入切のテストを行う際には外光の映り込みが問題となる。カメラで被テスト装置の画像表示部を撮像すると、外光を完全に遮断するような環境を作らない限り、画像表示部の表面に外光が映り込んでしまう。この映り込みがあると、画像表示部に何が表示されているのかを撮像画像から判定することは非常に困難となる。また、外光を完全に遮断するような環境を作ることは、手間とコストがかかる。そこで外光の映り込みがあっても電源入切のテストが行えるような自動テスト装置が必要となる。このような問題を解決するために、外光の映り込みがあっても電源入切の判定を可能とする方法が知られている（例えば、特許文献１参照）。この方法は、電源入、切、各々の撮像画像の平均輝度と最高輝度を測定し、この測定結果から電源入と切を識別するための閾値を設定することにより画像表示装置のテスト処理と検証処理を自動化することができるものである。
【先行技術文献】
【特許文献】
【０００６】
【特許文献１】特開２００７−１８４７２３号公報
【発明の概要】
【発明が解決しようとする課題】
【０００７】
電源入切テストは、被テスト装置における、画像表示部の不具合、画像表示部の駆動回路の不具合、基板の不具合、ＩＣ（Integrated Circuit）の不具合、ソフトウェア書き込みの不具合など、様々な不具合を検出することができる。そのため、電源入切テストは生産ラインでの全数テストに適用できることが望ましい。
【０００８】
しかしながら、従来の方法は、環境が変わる度に長時間の測定を行って閾値を決める必要があるため、専用の実験室等で行う場合など、映り込みの状況が安定した環境でテストを行う場合には適用可能だが、生産ライン上のように、被テスト装置が常に移動するために、映り込みの状況が刻々と変化するような環境でテストする場合には適用できないという問題がある。具体例を示すと、図８に示すように、カメラで撮像した画像１１００中に写る被テスト装置の表示画面１１２０上の外光の映り込み１１３０は、被テスト装置の移動に伴ってその映り込む位置が変化する（図８（ａ）、（ｂ））。このため、予め期待値を用意したり、環境毎に閾値を設定したりすることは困難であり、従来の方法は、生産ライン上でのテストに適用することは困難であるという問題がある。
【０００９】
本発明は、このような事情に鑑みてなされたもので、表示部を備える電気機器に対する電源の入切テストを確実に行うことができるテスト装置、テスト方法及びテストプログラムを提供することを目的とする。
【課題を解決するための手段】
【００１０】
本発明は、被テスト装置の電源を投入した後に、表示部に所定の判定色を表示させる動作制御手段と、前記表示部の画像を含む撮像画像を得る撮像手段と、前記撮像画像において予め決められた画像判定領域内の各画素の色成分を取得する色成分取得手段と、前記画像判定領域内において、外光の映り込みと見なされる色成分を有する画素を除いた画素数Ａを計数する第１の計数手段と、前記画像判定領域内において、前記判定色と見なされる色成分を有する画素数Ｂを計数する第２の計数手段と、前記画素数Ｂの前記画素数Ａに占める割合が所定の閾値以上である場合に電源入状態と判定し、前記閾値未満であった場合には不具合発生状態であると判定する判定手段とを備えることを特徴とする。
【００１１】
本発明は、前記判定色は、想定される外光の映り込みの色に基づいて、予め決められる色であることを特徴とする。
【００１２】
本発明は、前記判定色は、赤、緑、青の何れかであることを特徴とする。
【００１３】
本発明は、前記所定の閾値が５０％であることを特徴とする。
【００１４】
本発明は、被テスト装置の電源の入切を判定するために、動作制御手段と、撮像手段と、色成分取得手段と、第１の計数手段と、第２の計数手段と、判定手段とを備えるテスト装置におけるテスト方法であって、前記動作制御手段が、前記被テスト装置の電源を投入した後に、表示部に所定の判定色を表示させる動作制御ステップと、前記撮像手段が、前記表示部の画像を含む撮像画像を得る撮像ステップと、前記色成分取得手段が、前記撮像画像において予め決められた画像判定領域内の各画素の色成分を取得する色成分取得ステップと、前記第１の計数手段が、前記画像判定領域内において、外光の映り込みと見なされる色成分を有する画素を除いた画素数Ａを計数する第１の計数ステップと、前記第２の計数手段が、前記画像判定領域内において、前記判定色と見なされる色成分を有する画素数Ｂを計数する第２の計数ステップと、前記判定手段が、前記画素数Ｂの前記画素数Ａに占める割合が所定の閾値以上である場合に電源入状態と判定し、前記閾値未満であった場合には不具合発生状態であると判定する判定ステップとを有することを特徴とする。
【００１５】
本発明は、被テスト装置の電源の入切を判定するために、前記被テスト装置の電源を投入した後に、表示部に所定の判定色を表示させる動作制御手段と、前記表示部の画像を含む撮像画像を得る撮像手段とを備えるテスト装置上において動作するテストプログラムであって、前記撮像画像において予め決められた画像判定領域内の各画素の色成分を取得する色成分取得ステップと、前記画像判定領域内において、外光の映り込みと見なされる色成分を有する画素を除いた画素数Ａを計数する第１の計数ステップと、前記画像判定領域内において、前記判定色と見なされる色成分を有する画素数Ｂを計数する第２の計数ステップと、前記画素数Ｂの前記画素数Ａに占める割合が所定の閾値以上である場合に電源入状態と判定し、前記閾値未満であった場合には不具合発生状態であると判定する判定ステップとをコンピュータに行わせることを特徴とする。
【発明の効果】
【００１６】
本発明によれば、生産ラインのように、被テスト装置の表示部への外光の映り込みが常に変化するような環境においても、被テスト装置に対する電源入切のテストを確実に行うことが可能になるという効果が得られる。
【図面の簡単な説明】
【００１７】
【図１】本発明の一実施形態の全体構成を示す図である。
【図２】図１に示す被テスト装置１００及びテスト装置１１０の詳細な構成を示すブロック図である。
【図３】図２に示す装置を搭載したパレット１４０が流れる生産ラインの構成を示す図である。
【図４】図１に示すテスト装置１１０の動作を示すフローチャートである。
【図５】撮像画像中に設定した画像判定領域１１１０を示す説明図である。
【図６】図４に示す判定処理（ステップＳ１５０、Ｓ１９０）の詳細動作を示すフローチャートである。
【図７】従来技術による自動テスト装置の基本構成を示す図である。
【図８】被テスト装置１００の表示部上において外光の映り込みが変化することを示す説明図である。
【発明を実施するための形態】
【００１８】
以下、本発明の一実施形態によるテスト装置を図面を参照して説明する。図１は同実施形態の全体構成を示す図である。この図において、符号１００は、電源の入切テストを行う対象の装置（以下、被テスト装置という）であり、ここでは、一例として、液晶テレビを示す。符号１０１は、画像を表示する表示部である。符号１０２は、液晶テレビ１００が備えるリモコン受光部であって、リモコンからの光信号を受光する。符号１１０は、電源入切のテストを実施するテスト装置である。符号１２０は、テスト装置１１０から出力する信号に応じて、被テスト装置１００に対して光信号によって動作指示を行うためのリモコン信号発光器である。符号１３０は、テスト装置１１０からの撮像指示に応じて少なくともカラーの静止画を撮像して、得られた画像データをテスト装置１１０へ出力するカメラである。画像データは、標本化、量子化及び符号化されたデジタルデータとしてテスト装置１１０に取り込まれ、各画素は、ＲＧＢ、ＹＵＶ等、それぞれの成分を示すデータから構成される。符号１４０は、生産ラインにおいて、被テスト装置１００を搭載するパレットであり、テスト装置１１０、リモコン信号発光器１２０及びカメラ１３０も固定して搭載され、生産ライン上を被テスト装置１００と一緒に移動する。なお、符号２００で示す破線は、カメラ１３０の撮像範囲を示している。
【００１９】
次に、図２を参照して、図１に示す装置の詳細な構成を説明する。図２は、図１に示すテスト装置１１０の詳細な構成を示すブロック図である。但し同図には、理解を容易にするため、一部、テストの際にテスト装置１００と接続される装置等（被テスト装置１００、入力部１１１、表示部１１２、リモコン信号発生器１２０、カメラ１３０）も含まれている。図２において、符号１０１は、被テスト装置１００の画像表示を行う表示部である。被テスト装置１００の表示部１０１に所定の色を表示させる方法には次のような方法がある。第１の方法は、被テスト装置１００に外部入力端子が存在する場合にこれを利用する方法で、その外部入力端子から所定の色の画像信号を入力しておき、リモコン信号発生器１２０から、被テスト装置１００の入力切り換えを行う光信号を出力させて、その外部入力端子からの画像を表示させるようにする。また、第２の方法は、予め、被テスト装置１００に特定のリモコン信号を受けると所定の色を表示させるようにプログラムしておき、テスト装置１１０はリモコン信号発生器１２０経由でそのリモコン信号を与えて画像を表示させるようにする。
【００２０】
符号１１１は、キーボート等で構成する入力部であり、テスト装置１１０とは入力制御部１９１を介して接続される。符号１１２は、液晶ディスプレイ等で構成する表示部であり、テスト装置１１０とは画像出力部１９２を介して接続される。入力部１１１及び表示部１１２は、実際にラインに流してテストを行う際には外すことができるようにしても良い。入力制御部１９１は、入力部１１１からの入力を、画像判定領域設定部１１５や動作制御部１１３に伝える。画像出力部１９２は、画像判定領域設定部１１５から送られてくる画像データを表示できる形式に変換、内部メモリに蓄積し、表示部１１２へと出力する。符号１１３は、リモコン信号発生器１２０に対して、電源入切の動作指示の光信号や、所定の色を画面表示させる動作指示の光信号等、被テスト装置１００を動作させるリモコン信号の出力を指示する動作制御部（シリアルポート制御部）である。符号１１４は、カメラ１３０が撮像した画像データを受け、内部に保持する画像取得部（ＵＳＢ制御部）である。符号１１５は、画像判定に用いる画像上の領域を設定する画像判定領域設定部である。符号１１６は、画像判定領域設定部１１５において設定された画像判定領域内の画素毎の色成分（Ｒ（赤）、Ｇ（緑）、Ｂ（青））を取得する色成分取得部である。符号１１７は、色成分取得部１１６において取得した画素毎の色成分情報を参照して、画像判定領域内において、外光の映り込みと見なされる色成分を有する画素を除いた画素数を計数する第１計数部である。符号１１８は、色成分取得部１１６において取得した画素毎の色成分情報を参照して、画像判定領域内において、判定色と見なされる色成分を有する画素数を計数する第２計数部である。
【００２１】
符号１１９は、第１計数部が計数した画素数と第２計数部が計数した画素数に基づいて、表示部１０１に判定色が表示されているか否かを判定することにより、電源の入切状態を判定する判定部である。符号１６０は、動作制御部１１３が出力した動作指示と、判定部１１９が判定した電源の入切状態とに基づいて警報を出力する警報出力部である。符号１７０は、警報出力部１６０が出力した警報情報を外部装置へ出力する通信部である（無線通信とは限らない）。通信部１７０に接続される外部装置としては、警告ランプや警告ブザー等が考えられる。無線通信を用いて、生産ライン上の被テスト装置のテスト動作を管理する管理装置等に接続しても良い。符号１８０は開始トリガを受けるためのセンサである。
【００２２】
なお、図２のテスト装置１１０は、いわゆるパソコンで実現することが可能である。そのようにする場合、画像判定領域設定部１１５、色成分取得部１１６、第１計数部１１７、第２計数部１１８、判定部１１９、警報出力部１６０は、パソコン上のソフトウェアで実現できる。また、カメラ１３０がＵＳＢカメラであった場合、画像取得部１１４は、パソコンのＵＳＢポートとそのドライバソフトウェアに相当する。リモコン信号発光器１２０がシリアルポート接続であった場合は、動作制御部１１３はシリアルポート及びそのドライバソフトウェアを含む。通信部１７０は、他の管理装置等と接続する場合には無線ＬＡＮモジュールとそのドライバソフトウェアになるが、警告ランプや警告ブザーを接続する形態であれば、ＵＳＢポートやシリアルポートとそのドライバソフトウェアとなる。センサ１８０は、後述するように光センサを使うような場合には、そのハードウェアとドライバソフトウェアに相当する。入力制御部１９１はＰＳ／２ポートやＵＳＢポート及びそこに接続される入力装置のドライバソフトウェアに相当し、入力部１１１で示されたマウスやキーボードが接続される。画像出力部１９２は、グラフィックボード及びそのドライバソフトウェアに相当し、ＤＶＩやアナログＲＧＢポートやディプレイポートと言ったインタフェースにより表示部１１２で示された液晶モニタ等のディスプレイと接続される。
【００２３】
ここで、図３を参照して、図２に示す被テスト装置（液晶テレビ）１００、テスト装置１１０、リモコン信号発生器１２０、カメラ１３０を搭載したパレット１４０が流れる生産ラインの構成を説明する。床３１０には、パレット１４０を流すためのライン装置３００が設置されており、天井３２０には照明灯３３０が取り付けられている。ライン装置３００上には、複数のパレット１４０が流され、ライン装置３００上の任意の位置において与えられるテスト開始トリガ（詳細後述）に応じて、リモコン信号発生器１２０から光信号を出力し、電源入切テストを行う。図３に示すように、カメラ１３０は、パレット１４０上の低い位置に固定されるため、照明灯３３０が発する光のうち、被テスト装置１００の表示部１０１の表面において正反射する成分（図３の符号Ｒで示す光路）がカメラ１３０によって撮像され、撮像画像中に外光の映り込みが発生する。また、パレット１４０の移動に伴い、撮像画像中の外光の映り込み位置は変化する。さらに、パレット１４０がライン装置３００上を流れている際は、振動でパレット１４０全体が振動するため、パレット１４０に搭載されている被テスト装置１００とカメラ１３０も振動してしまい、カメラ１３０によって撮像される画像中における外光の映り込みの状態は時々刻々変化する。このため、従来技術のように、環境が変わる度に長時間の測定を行って閾値を決めて、外光の映り込みの影響を排除する方法は適用することができない。
【００２４】
次に、図４を参照して、図２に示す装置の動作を説明する。図４は、テスト装置１１０上で動作するテストプログラムの基本的な動作手順を示している。まず、作業者は、テストプログラム上で、入力部１１１を操作して、画像判定領域とテスト回数の値Ｎを設定する（ステップＳ１００）。これらの設定は、テスト装置１１０上で実現されるＧＵＩ（Graphical User Interface）上で、入力部１１１として接続されたキーボードとマウスを操作することによって行われる（パソコン上で既に実現されている技術であるので、詳述しない）。画像判定領域の設定は、図５に示すように、パレット１４０にカメラ１３０を固定した後、カメラ１３０で撮像された被テスト装置１１０の表示部１０１の画像１１００上において矩形領域１１１０を定義することにより行う。画像判定領域設定部１１５は、入力部１１１の操作により、画像上に設定される矩形領域１１１０の位置情報を読み取り、内部に保持する。また、テスト回数Ｎは、電源入切テストを行う回数であり、入力部１１１から入力する。動作制御部１１３は、ここで入力されたテスト回数Ｎの値を内部に保持する。作業者は、これらの設定が完了したら、動作制御部１１３は、電源入切テストの開始トリガの入力待ち状態となる（ステップ１１０）ので、パレット１４０をライン装置３００上に流す。
【００２５】
パレット１４０がライン装置３００上において移動を開始すると、動作制御部１１３は、電源入切テストの開始トリガが入力されるまで待ち続ける（ステップ１１０）。この開始トリガには様々なものを利用可能である。例えば、図２にも示したように、生産ライン上の特定の領域に入ったことを検出するセンサ１８０（位置を特定できるもの。光センサを使い、ライン途中に照射されたレーザ光を検出する、パレットとライン上にそれぞれ電極を設置し、これが接触したことを検出する等）を設け、このセンサの検出信号をテスト開始のトリガ信号としてもよい。
【００２６】
動作制御部１１３は、開始トリガが入力されると、リモコン信号発生器１２０に対して、電源入の光信号を出力する指示を出す。これを受けて、リモコン信号発生器１２０は、同じパレット１４０に搭載されている被テスト装置１００に対し、電源入の光信号を発する（ステップＳ１２０）。この電源入の光信号を受光部１０２で受光した被テスト装置１００は電源を投入する。
【００２７】
次に、動作制御部１１３は、リモコン信号発生器１２０に対して、予め決められた判定色を表示させるための光信号を出力する指示を出す。判定色は、想定される外光の映り込みの色に基づいて、映り込みの色とは異なる色に決めるのが望ましい。想定される映り込みが、白色蛍光灯の照明光である場合は、白でない色（例えば、青）を選択する。また、ナトリウムランプの照明光である場合は、ナトリウムランプの色（橙黄色）でない色（例えば、青や緑）を選択する。この判定色は、撮像された画像中に判定色が撮像されているか否かの判定処理を簡単にするために、原色（Ｒ（赤）、Ｇ（緑）、Ｂ（青））を用いることが望ましい。リモコン信号発生器１２０は、同じパレット１４０に搭載されている被テスト装置１００に対し、判定色表示の光信号を発する（ステップＳ１３０）。被テスト装置１００は、この判定色表示の光信号を受光部１０２で受光し、表示部１０１の全面に判定色を表示する。これにより、表示部１０１の全面に判定色（例えば、青）が表示されることになる。
【００２８】
次に、動作制御部１１３は、画像取得部１１４に対して、画像取得の指示を出す。これを受けて、画像取得部１１４は、カメラ１３０が出力する画像データを受け取り、被テスト装置１００の表示部１０１の画像を得る（ステップＳ１４０）。画像取得部１１４内には、１フレーム分のフレームバッファを備えており、カメラ１３０から出力された画像データを標本化及び量子化して１フレーム分の画像データをフレームバッファに保持する。フレームバッファ内に保持される画像データは、全画素についてＲ（赤）Ｇ（緑）Ｂ（青）成分、または、Ｙ（輝度信号）Ｕ（輝度信号と青色成分の差）Ｖ（輝度信号と赤色成分の差）成分に分解されて保持される。以下の説明においては、ＲＧＢそれぞれが８ビット（２５６階調）で量子化されているものとして説明する。
【００２９】
以下の（１）〜（３）式を用いれば、ＹＵＶ成分で表現された画像データとＲＧＢ成分で表現された画像データ間で相互に変換することが可能であるため、フレームバッファに保持される画像データは、ＹＵＶ成分で表現された画像データとＲＧＢ成分で表現された画像データのどちらでもよい。
Ｙ＝０．２９９×Ｒ＋０．５８７×Ｇ＋０．１１４×Ｂ・・・（１）
Ｕ＝−０．１６９×Ｒ−０．３３１６×Ｇ＋０．５００×Ｂ・・・（２）
Ｖ＝０．５００×Ｒ−０．４１８６×Ｇ−０．０８１３×Ｂ・・・（３）
【００３０】
次に、判定部１１９は、電源の入切状態を判定する処理を行う（ステップＳ１５０）。この判定処理の詳細については後述する。そして、判定部１１９は、動作制御部１１３から現時点であるべき状態（ここでは、電源入の状態）の情報を受け取り、判定結果と比較（ステップＳ１６０）して、状態が正常（電源入の状態）であれば、正常であることを動作制御部１１３へ通知する。
【００３１】
一方、正常な状態でない場合（ここでは、あるべき状態が電源入であるのに、判定結果が電源切の状態の場合）、判定部１１９は、警報出力部１６０と動作制御部１１３に対して、不具合が発生していることを通知する（ステップＳ２３０）。これを受けて、動作制御部１１３はテスト動作を終了する。また、警報出力部１６０は、通信部１７０を介して、警報信号を出力する。通信部１７０が他の管理装置等と接続されている場合には、警報出力部１６０は、通信部１７０を介して、自己（テスト装置１１０）の識別情報と、不具合が発生した状態の情報（電源入時の不具合を示す情報）を含む警報信号を管理装置（図示せず）へ出力する。通信部１７０が、警告ランプや警告ブザーに接続されている場合には、警報出力部１６０は、警報信号のみを出力し、通信部１７０はこの警報信号に従い、警告ランプを点灯させたり、警告ブザーを鳴らしたりする。
【００３２】
判定部１１９から正常であることの通知を受けた場合、動作制御部１１３は、リモコン信号発生器１２０に対して、電源切の光信号を出力する指示を出す。これを受けて、リモコン信号発生器１２０は、同じパレット１４０に搭載されている被テスト装置１００に対し、電源切の光信号を発する（ステップＳ１７０）。この電源切の光信号を受光部１０２で受光した被テスト装置１００は電源を切断する。
【００３３】
次に、動作制御部１１３は、画像取得部１１４に対して、画像取得の指示を出す。これを受けて、画像取得部１１４は、カメラ１３０が出力する画像データを受け取り、被テスト装置１００の表示部１０１の画像を得る（ステップＳ１８０）。
【００３４】
次に、判定部１１９は、電源の入切状態を判定する処理を行う（ステップＳ１９０）。この判定処理は、ステップＳ１５０の判定処理と同様の処理であり詳細については後述する。そして、判定部１１９は、動作制御部１１３から現時点であるべき状態（ここでは、電源切の状態）の情報を受け取り、判定結果と比較（ステップＳ２００）して、状態が正常（電源切の状態）であれば、正常であることを動作制御部１１３へ通知する。
【００３５】
一方、正常な状態でない場合（ここでは、あるべき状態が電源切であるのに、判定結果が電源入の状態の場合）、判定部１１９は、警報出力部１６０と動作制御部１１３に対して、不具合が発生していることを通知する（ステップＳ２３０）。これを受けて、動作制御部１１３はテスト動作を終了する。また、警報出力部１６０は、通信部１７０を介して、警報信号を出力する。通信部１７０が他の管理装置等と接続されている場合には、警報出力部１６０は、通信部１７０を介して、自己（テスト装置１１０）の識別情報と、不具合が発生した状態の情報（電源切時の不具合を示す情報）を含む警報信号を管理装置（図示せず）へ出力する。通信部１７０が、警告ランプや警告ブザーに接続されている場合には、警報出力部１６０は、警報信号のみを出力し、通信部１７０はこの警報信号に従い、警告ランプを点灯させたり、警告ブザーを鳴らしたりする。
【００３６】
次に、判定部１１９から正常であることの通知を受けた場合、動作制御部１１３は、内部に保持しているテスト回数Ｎから「１」減算して（ステップＳ２１０）、Ｎの値が「０」であるか否かを判定する（ステップＳ２２０）。この判定の結果、Ｎの値が「０」でなければステップＳ１２０へ戻り、電源入切テストを繰り返し行い、Ｎの値が「０」であればテストを終了する。
【００３７】
次に、図６を参照して、図４に示す判定処理（ステップＳ１５０、Ｓ１９０）の詳細動作を説明する。まず、色成分取得部１１６は、画像判定領域設定部１１５内に保持されている画像判定領域の位置情報を読み取り、この位置情報に基づいて、画像取得部１１４内に保持されている画像データの中から画像判定領域内の画素を抽出する（ステップＳ３００）。続いて、色成分取得部１１６は、抽出した画素それぞれのＲＧＢ成分を取得して、第１計数部１１７及び第２計数部１１８へ出力する（ステップＳ３１０）。
【００３８】
次に、第１計数部１１７は、動作制御部１１３から想定される外光の映り込みの色情報を取得する。外光色が太陽光や白色蛍光灯の場合には白色であり、ナトリウムランプの場合には橙黄色となる。そして、第１計数部１１７は、色成分取得部１１６から出力された画素それぞれのＲＧＢ成分のうち、外光の映り込みと見なされる色情報と同じ色成分を持つ画素を除いた画素の数を計数する（ステップＳ３２０）。この計数結果は、画像判定領域内における外光の映り込みと見なされる画素を除いた残りの画素の数（これを画素数Ａとする）となる。例えば、外光色が白色である場合、Ｒ、Ｇ、Ｂ全ての色成分の値が１９２（１９２／２５６＝０．７５；７５％）以上の値を持つ画素を除けばよい。第１計数部１１７は、ここで計数した画素数Ａを判定部１１９へ出力する。
【００３９】
次に、第２計数部１１８は、動作制御部１１３から判定色に用いた色情報を取得する。ここでは、例えば、青の色情報が取得されることになる。そして、第２計数部１１８は、色成分取得部１１６から出力された画素それぞれのＲＧＢ成分のうち、判定色（例えば、青）と見なされる色情報と同じ色成分を持つ画素の数を計数する（ステップＳ３３０）。この計数結果は、画像判定領域内における判定色の画素の数（これを画素数Ｂとする）となる。例えば、判定色が青色である場合、Ｂ（青）の成分の値のみが１２８（１２８／２５６＝０．５；５０％）以上であり、Ｒ（赤）とＧ（緑）の成分の値が０に近い値を持つ画素を計数すればよい。第２計数部１１８は、ここで計数した画素数Ｂを判定部１１９へ出力する。
【００４０】
次に、判定部１１９は、第１計数部１１７から出力される画素数Ａと、第２計数部１１８から出力される画素数Ｂから、判定色が所定の割合以上であるか否かを判定する（ステップＳ３４０）。この判定は、Ｂ／Ａが０．５（５０％）以上であるか否かによって判定する。この判定の結果、判定色が所定の割合以上である（（Ｂ／Ａ）≧０．５）場合、判定部１１９は、電源入状態である（判定色が表示されている）と判定する（ステップＳ３５０）。また、判定色が所定の割合以上でない場合（（Ｂ／Ａ）＜０．５）場合、判定部１１９は、電源切状態である（判定色が表示されていない）と判定する（ステップＳ３６０）。判定部１１９は、判定結果を警報出力部１６０及び動作制御部１１３へ出力する。
【００４１】
このように、外光の映り込みであると見なされる画素を除いた画素の計数結果に基づいて所定の判定色が表示部１０１に表示されているか否かを判定することにより、外光の映り込みの影響を排除して被テスト装置１００が電源入状態であるか、電源切状態（不具合の状態を含む）であるかを確実に判定することができる。
【００４２】
なお、ステップＳ３２０、Ｓ３３０において用いる白色判定及び判定色判定の閾値は、例の値であり、テスト環境によっては、もっと閾値を下げたり、上げたりしても問題なくテストすることができる。但し、前述した値を閾値（１９２、１２８）として設定すると、天井が低く照明灯が多いという比較的明るい環境や、天井が高く照明灯が少ないという比較的暗い環境でも、同一の閾値で電源入切の判定を行うことができ、環境に応じて閾値を設定する手間を省くことができる。
【００４３】
なお、前述した説明においては、製品（被テスト装置１００）の生産時において、生産ライン上で電源入切テストを行うことを想定して説明したが、本発明によるテスト装置は生産ライン以外でも利用できる。この場合、図２に示す装置をパレット１４０ではなく、机等に直接設置してテストを行えばよい。例えば、被テスト装置１００は移動しないが、自然光が差し込む窓があり、時間帯によって自然光の入射方向が変化するような環境において電源入切テストを行うような場合にも、時間帯による画像表示部への映り込みの変化の影響を排除して、テストを確実に行うことが可能である。
【００４４】
また、被テスト装置１００が、携帯電話機である場合には、図２に示す動作制御部１１３と、携帯電話機が備えているインタフェースとを直接接続して、動作制御部１１３から電源入切の動作指示及び判定色の表示指示を出力することによって携帯電話機の動作制御を実施すればよい。
【００４５】
なお、図２におけるテスト装置１１０の機能を実現するためのプログラムをコンピュータ読み取り可能な記録媒体に記録して、この記録媒体に記録されたプログラムをコンピュータシステムに読み込ませ、実行することにより被テスト装置の電源の入切を判定するテスト処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４６】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【産業上の利用可能性】
【００４７】
本発明は、画像表示部を備える機器の電源入切の自動テスト装置として利用できる。
【符号の説明】
【００４８】
１００・・・被テスト装置、１０１・・・表示部、１０２・・・受光部、１０３・・・表示制御部、１１０・・・テスト装置、１１１・・・入力部、１１２・・・表示部、１１３・・・動作制御部、１１４・・・画像取得部、１１５・・・画像判定領域設定部、１１６・・・色成分取得部、１１７・・・第１計数部、１１８・・・第２計数部、１１９・・・判定部、１２０・・・リモコン、１３０・・・カメラ、１４０・・・パレット、１６０・・・警報出力部、１７０・・・通信部、１８０・・・センサ、２００・・・撮像範囲、３００・・・ライン装置、３１０・・・床、３２０・・・天井、３３０・・・照明灯
【図１】
2010193273.tif 000003
【図２】
2010193273.tif 000004
【図３】
2010193273.tif 000005
【図４】
2010193273.tif 000006
【図５】
2010193273.tif 000007
【図６】
2010193273.tif 000008
【図７】
2010193273.tif 000009
【図８】
2010193273.tif 000010